(57)【要約】【課題】ピッキング作業を効率化し、日々の業務量の変動にも柔軟に対応することができる荷合わせ作業支援システムおよび荷合わせ作業方法の提供。【解決手段】  医療材料に付されたＩＣタグ５１の格納情報を読み取るＩＣリーダ３と、入力手段および画面を有し、ＩＣリーダおよび管理サーバと通信可能に構成された検品用端末２と、を備え、検品用端末２は、ＩＣリーダ３から取得したＩＣタグ５１に紐付けられた出荷情報とＩＣリーダ３から取得したＩＣタグ４１の格納情報を突合した結果を画面上に表示するとともに、検品作業場所の位置情報を取得し、医療材料５の位置情報として管理サーバ１に送信する検品手段を備える医療材料の管理システム、管理サーバ、およびプログラム。【選択図】図３
2020155122.tif 000002
【特許請求の範囲】
【請求項１】
医療材料に付されたＩＣタグの格納情報を読み取るＩＣリーダと、
位置情報取得手段、入力手段および画面を有し、前記ＩＣリーダおよび管理サーバと通信可能に構成された検品用端末と、を備える医療材料の管理システムであって、
前記検品用端末は、前記ＩＣリーダから取得した前記ＩＣタグに紐付けられた出荷情報と前記ＩＣリーダから取得した前記ＩＣタグの格納情報を突合した結果を画面上に表示し、前記位置情報取得手段から取得した位置情報を前記管理サーバに送信する検品手段を備えることを特徴とする医療材料の管理システム。
【請求項２】
前記検品手段は、前記画面に検品種別を入力するための画面を表示させることができ、前記検品種別の情報が入力されると当該情報を前記管理サーバに送信することを特徴とする請求項１に記載の医療材料の管理システム。
【請求項３】
前記検品手段は、前記出荷情報に含まれる前記ＩＣタグのシリアル番号のうち前記ＩＣリーダから受信した情報に含まれない前記ＩＣタグのシリアル番号を判別し、当該ＩＣタグが付され医療材料を使用済み商品として画面に表示し、前記使用済み商品の情報を前記管理サーバに送信することを特徴とする請求項１または２に記載の医療材料の管理システム。
【請求項４】
前記位置情報取得手段は、ＧＰＳ受信装置であることを特徴とする請求項１ないし３のいずれかに記載の医療材料の管理システム。
【請求項５】
前記位置情報取得手段は、前記管理サーバから出荷情報に基づいて位置情報を算出するプログラムにより構成されることを特徴とする請求項１ないし３のいずれかに記載の医療材料の管理システム。
【請求項６】
前記管理サーバは、実際に出荷した医療材料の出荷実績データおよび出荷された医療材料のうち実際に使用された医療材料の使用実績データを記憶したデータベースから、症例ごとの出荷実績データおよび使用実績データを取得する手段と、前記出荷実績データおよび前記使用実績データに基づいて、症例ごとに推奨される医療材料の組み合わせを提示する手段と、を備えることを特徴とする請求項１ないし５のいずれかに記載の医療材料の管理システム。
【請求項７】
前記管理サーバは、症例ごとに生成した医療材料の配送情報を前記配送者端末に送信する手段を備えることを特徴とする請求項１ないし６のいずれかに記載の医療材料の管理システム。
【請求項８】
前記管理サーバは、返却元の位置情報を含む医療材料の返却予定情報および逼迫品情報に基づいて、前記医療材料の配送先を新たに決定し、当該決定した配送先への配送情報を前記配送者端末に送信する配送指示手段を備えることを特徴とする請求項１ないし７のいずれかに記載の医療材料の管理システム。
【請求項９】
前記管理サーバは、前記検品用端末から受信した前記検品種別の情報が返却検品である場合に、前記ステータス情報を出荷割当可に更新する流通商品管理手段を備え、
前記配送指示手段は、前記ステータス情報、前記返却予定情報および逼迫品情報に基づいて、前記医療材料の配送先を新たに決定することを特徴とする請求項８に記載の管理サーバ。
【請求項１０】
前記配送指示手段は、前記逼迫品情報に基づいて、逼迫している前記医療材料を優先して前記配送先に配送するように前記配送情報を作成することを特徴とする請求項８または９に記載の医療材料の管理システム。
【請求項１１】
前記管理サーバは、前記医療材料を配送元から配送先へと配送する配送指示を行う場合であって、前記配送元から前記配送先の間に複数の経路が存在する場合は、前記経路における輸送コスト情報、前記経路上の各配送拠点における保管コスト情報、または、前記経路上の各配送拠点における業務コスト情報に基づいて、前記経路における配送コストを経路ごとに算出し、前記配送コストが最も低い経路を配送経路として決定する配送経路決定手段を備えることを特徴とする請求項１ないし１０のいずれかに記載の医療材料の管理システム。
【請求項１２】
請求項１に記載の検品用端末および病院端末と通信可能に構成された管理サーバであって、
前記医療材料の商品情報と、前記医療材料の位置情報と、前記医療材料の出荷割当の可不可を判別可能とするステータス情報と、病院端末から受信した発注情報と、を管理するデータベースと、
前記病院端末から受信した発注情報に基づき、出荷する医療材料を割り当てる商品割当手段と、
前記検品用端末から受信した突合結果情報および検品作業場所の位置情報に基づき、前記データベースに登録された前記医療材料のステータス情報および前記医療材料の位置情報を更新する流通商品管理手段と、を備え、
前記商品割当手段は、前記ステータス情報および前記医療材料の位置情報に基づき出荷する医療材料を割り当てることを特徴とする管理サーバ。
【請求項１３】
請求項２に記載の検品用端末および病院端末と通信可能に構成された管理サーバであって、
前記医療材料の商品情報と、前記医療材料の位置情報と、前記医療材料の出荷割当の可不可を判別可能とするステータス情報と、病院端末から受信した発注情報と、を管理するデータベースと、
前記病院端末から受信した発注情報に基づき、出荷する医療材料を割り当てる商品割当手段と、
前記検品用端末から受信した前記検品種別の情報および突合結果情報および検品作業場所の位置情報に基づき、前記データベースに登録された前記医療材料のステータス情報および前記医療材料の位置情報を更新する流通商品管理手段と、を備え、
前記商品割当手段は、前記ステータス情報および前記医療材料の位置情報に基づき出荷する医療材料を割り当てることを特徴とする管理サーバ。
【請求項１４】
前記流通商品管理手段は、前記検品用端末から受信した前記検品種別の情報が返却検品である場合に、前記ステータス情報を出荷割当可に更新することを特徴とする請求項１３に記載の管理サーバ。
【請求項１５】
前記データベースには、出荷先となる病院の位置情報が登録されており、
前記検品用端末から受信した前記検品種別の情報が返却検品であり、かつ、前記検品用端末から受信した前記医療材料の位置情報が前記データベースに登録された病院の位置情報と一致または実質的に一致する場合に、一意の配送伝票番号が付された帳票の発行を指示する指令を前記検品用端末に送信する帳票発行手段を備えることを特徴とする請求項１３または１４に記載の医療材料の管理サーバ。
【請求項１６】
請求項３に記載の検品用端末および病院端末と通信可能に構成された管理サーバであって、
前記医療材料の商品情報と、前記医療材料の位置情報と、前記医療材料の単価情報と、前記使用済み商品の情報と、を管理するデータベースと、
前記検品用端末から受信した突合結果情報とおよび検品作業場所の位置情報に基づき、前記データベースに登録された前記医療材料のステータス情報および前記医療材料の位置情報を更新する流通商品管理手段と、
前記使用済み商品および医療材料の単価情報から算出した売上計算用データを出力する手段と、を備えることを特徴とする管理サーバ。
【請求項１７】
請求項１に記載の検品用端末および病院端末と通信可能に構成された管理サーバで実行されるプログラムであって、
前記管理サーバは、前記医療材料の商品情報と、前記医療材料の位置情報と、前記医療材料の出荷割当の可不可を判別可能とするステータス情報と、病院端末から受信した発注情報と、を管理するデータベースを備え、
前記管理サーバを、
前記病院端末から受信した発注情報に基づき、出荷する医療材料を割り当てる商品割当手段と、
前記検品用端末から受信した突合結果情報および検品作業場所の位置情報に基づき、前記データベースに登録された前記医療材料のステータス情報および前記医療材料の位置情報を更新する流通商品管理手段と、
して機能させること、
前記商品割当手段は、前記ステータス情報および前記医療材料の位置情報に基づき出荷する医療材料を割り当てることを特徴とするプログラム。
【請求項１８】
請求項２に記載の検品用端末および病院端末と通信可能に構成された管理サーバで実行されるプログラムであって、
前記管理サーバは、前記医療材料の商品情報と、前記医療材料の位置情報と、前記医療材料の出荷割当の可不可を判別可能とするステータス情報と、病院端末から受信した発注情報と、を管理するデータベースを備え、
前記管理サーバを、
前記病院端末から受信した発注情報に基づき、出荷する医療材料を割り当てる商品割当手段と、
前記検品用端末から受信した前記検品種別の情報、突合結果情報および検品作業場所の位置情報に基づき、前記データベースに登録された前記医療材料のステータス情報および前記医療材料の位置情報を更新する流通商品管理手段と、
して機能させること、
前記商品割当手段は、前記ステータス情報および前記医療材料の位置情報に基づき出荷する医療材料を割り当てることを特徴とするプログラム。
【請求項１９】
請求項３に記載の検品用端末および病院端末と通信可能に構成された管理サーバで実行されるプログラムであって、
前記医療材料の商品情報と、前記医療材料の位置情報と、前記医療材料の単価情報と、医療材料の使用実績情報と、を管理するデータベースを備え、
前記管理サーバを、
前記検品用端末から受信した突合結果情報および検品作業場所の位置情報に基づき、前記データベースに登録された前記医療材料のステータス情報および前記医療材料の位置情報を更新する流通商品管理手段と、
前記使用済み商品および医療材料の単価情報から算出した売上計算用データを出力する手段と、
して機能させることを特徴とするプログラム。
【発明の詳細な説明】
【技術分野】
【０００１】
本発明は、非接触ＩＣタグを用いた医療材料の管理システム、管理サーバおよびプログラムに関する。本明細書では、「医療材料」の用語を、医療機器を含む意味で用いる場合がある。
【背景技術】
【０００２】
病院等の医療機関では消耗品である医療材料が取り扱われているが、治療や検査時に在庫切れが生じないように余裕を持って発注を行うことが重要である。従来は、医療材料に貼付されたラベルを剥がして台帳に貼ったり、買取物品であることをマジックでパッケージに記載したりするなどの手作業での管理が行われていた。しかし、手作業での管理は煩雑であり、また管理漏れの問題もあることから、近年はバーコードやＩＣタグを用いたコンピュータシステムにより在庫管理を行うと共に、補充発注を自動化することが試みられている。
【先行技術文献】
【特許文献】
【０００３】
【特許文献１】特開２００２−２５９７７８号公報
【特許文献２】特開２００６−２５９４１号公報
【特許文献３】特開２００６−１４９５５号公報
【発明の概要】
【発明が解決しようとする課題】
【０００４】
ディーラ（卸業者）が病院に医療材料キット（後述）を提供するにあたっては、複数回の出荷検品と複数回の返却検品が必要であるが、各検品作業に多くの時間を要しており、効率化が求められていた。
また、医療材料キットがディーラに到着してからメーカに返却されるまでの間、実際に使用されない医療材料も流通状態にあり、割当の対象にはできないため、より多くの在庫を備えることが必要になるという課題があった。
【０００５】
そこで、本発明は、医療材料キットの検品作業を効率化し、メーカの在庫を削減することを可能とする医療材料の管理システム、管理サーバおよびプログラムを提供することを目的とする。
【課題を解決するための手段】
【０００６】
本発明の医療材料の管理システムは、
医療材料に付されたＩＣタグの格納情報を読み取るＩＣリーダと、
位置情報取得手段、入力手段および画面を有し、前記ＩＣリーダおよび管理サーバと通信可能に構成された検品用端末と、を備える医療材料の管理システムであって、
前記検品用端末は、前記ＩＣリーダから取得した前記ＩＣタグに紐付けられた出荷情報と前記ＩＣリーダから取得した前記ＩＣタグの格納情報を突合した結果を画面上に表示し、前記位置情報取得手段から取得した位置情報を前記管理サーバに送信する検品手段を備えることを特徴とする。
上記医療材料の管理システムにおいて、前記検品手段は、前記画面に検品種別を入力するための画面を表示させることができ、前記検品種別の情報が入力されると当該情報を前記管理サーバに送信することを特徴としてもよい。
上記医療材料の管理システムにおいて、前記検品手段は、前記出荷情報に含まれる前記ＩＣタグのシリアル番号のうち前記ＩＣリーダから受信した情報に含まれない前記ＩＣタグのシリアル番号を判別し、当該ＩＣタグが付され医療材料を使用済み商品として画面に表示し、前記使用済み商品の情報を前記管理サーバに送信することを特徴としてもよい。
上記医療材料の管理システムにおいて、前記位置情報取得手段は、ＧＰＳ受信装置であることを特徴としてもよい。
上記医療材料の管理システムにおいて、前記位置情報取得手段は、前記管理サーバから出荷情報に基づいて位置情報を算出するプログラムにより構成されることを特徴としてもよい。
上記医療材料の管理システムにおいて、前記管理サーバは、症例ごとに、実際に出荷した医療材料の出荷実績データと、出荷された医療材料のうち実際に使用された医療材料の使用実績データとを記憶しており、前記出荷実績データおよび前記使用実績データに基づいて、症例ごとに推奨される医療材料の組み合わせを提示することを特徴としてもよい。
上記医療材料の管理システムにおいて、前記管理サーバは、実際に出荷した医療材料の出荷実績データおよび出荷された医療材料のうち実際に使用された医療材料の使用実績データを記憶したデータベースから、症例ごとの出荷実績データおよび使用実績データを取得する手段と、前記出荷実績データおよび前記使用実績データに基づいて、症例ごとに推奨される医療材料の組み合わせを提示する手段と、を備えることを特徴としてもよい。
上記医療材料の管理システムにおいて、前記管理サーバは、症例ごとに生成した医療材料の配送情報を前記配送者端末に送信する手段を備えることを特徴としてもよい。
上記医療材料の管理システムにおいて、前記管理サーバは、前記逼迫品情報に基づいて、逼迫している前記医療材料を優先して前記配送先に配送するように前記配送情報を作成することを特徴としてもよい。
上記医療材料の管理システムにおいて、前記管理サーバは、返却元の位置情報を含む医療材料の返却予定情報および逼迫品情報に基づいて、前記医療材料の配送先を新たに決定し、当該決定した配送先への配送情報を前記配送者端末に送信する配送指示手段を備えることを特徴としてもよい
上記医療材料の管理システムにおいて、前記管理サーバは、前記検品用端末から受信した前記検品種別の情報が返却検品である場合に、前記ステータス情報を出荷割当可に更新する流通商品管理手段を備え、
前記配送指示手段は、前記ステータス情報、前記返却予定情報および逼迫品情報に基づいて、前記医療材料の配送先を新たに決定することを特徴としてもよい。
上記医療材料の管理システムにおいて、前記配送指示手段は、前記逼迫品情報に基づいて、逼迫している前記医療材料を優先して前記配送先に配送するように前記配送情報を作成することを特徴としてもよい。
上記医療材料の管理システムにおいて、前記管理サーバは、前記医療材料を配送元から配送先へと配送する配送指示を行う場合であって、前記配送元から前記配送先の間に複数の経路が存在する場合は、前記経路における輸送コスト情報、前記経路上の各配送拠点における保管コスト情報、または、前記経路上の各配送拠点における業務コスト情報に基づいて、前記経路における配送コストを経路ごとに算出し、前記配送コストが最も低い経路を配送経路として決定する配送経路決定手段を備えることを特徴としてもよい。
【０００７】
本発明の第１の観点に係る管理サーバは、
上記の検品用端末および病院端末と通信可能に構成された管理サーバであって、
前記医療材料の商品情報と、前記医療材料の位置情報と、前記医療材料の出荷割当の可不可を判別可能とするステータス情報と、病院端末から受信した発注情報と、を管理するデータベースと、
前記病院端末から受信した発注情報に基づき、出荷する医療材料を割り当てる商品割当手段と、
前記検品用端末から受信した突合結果情報および検品作業場所の位置情報に基づき、前記データベースに登録された前記医療材料のステータス情報および前記医療材料の位置情報を更新する流通商品管理手段と、を備え、
前記商品割当手段は、前記ステータス情報および前記医療材料の位置情報に基づき出荷する医療材料を割り当てることを特徴とする。
【０００８】
本発明の第２の観点に係る管理サーバは、
上記の検品用端末および病院端末と通信可能に構成された管理サーバであって、
前記医療材料の商品情報と、前記医療材料の位置情報と、前記医療材料の出荷割当の可不可を判別可能とするステータス情報と、病院端末から受信した発注情報と、を管理するデータベースと、
前記病院端末から受信した発注情報に基づき、出荷する医療材料を割り当てる商品割当手段と、
前記検品用端末から受信した前記検品種別の情報および突合結果情報および検品作業場所の位置情報に基づき、前記データベースに登録された前記医療材料のステータス情報および前記医療材料の位置情報を更新する流通商品管理手段と、を備え、
前記商品割当手段は、前記ステータス情報および前記医療材料の位置情報に基づき出荷する医療材料を割り当てることを特徴とする。
上記第２の観点に係る管理サーバにおいて、前記流通商品管理手段は、前記検品用端末から受信した前記検品種別の情報が返却検品である場合に、前記ステータス情報を出荷割当可に更新することを特徴としてもよい。
上記第２の観点に係る管理サーバにおいて前記データベースには、出荷先となる病院の位置情報が登録されており、前記検品用端末から受信した前記検品種別の情報が返却検品であり、かつ、前記検品用端末から受信した前記ＧＰＳ位置情報が前記データベースに登録された病院の位置情報と一致または実質的に一致する場合に、一意の配送伝票番号が付された帳票の発行を指示する指令を前記検品用端末に送信する帳票発行手段を備えることを特徴としてもよい。
【０００９】
本発明の第３の観点に係る管理サーバは、
上記の検品用端末および病院端末と通信可能に構成された管理サーバであって、
前記医療材料の商品情報と、前記医療材料の位置情報と、前記医療材料の単価情報と、前記使用済み商品の情報と、を管理するデータベースと、
前記検品用端末から受信した突合結果情報とおよび検品作業場所の位置情報に基づき、前記データベースに登録された前記医療材料のステータス情報および前記医療材料の位置情報を更新する流通商品管理手段と、
前記使用済み商品および医療材料の単価情報から算出した売上計算用データを出力する手段と、を備えることを特徴とする。
【００１０】
本発明の第１の観点に係るプログラムは、上記の検品用端末および病院端末と通信可能に構成された管理サーバで実行されるプログラムであって、
前記管理サーバは、前記医療材料の商品情報と、前記医療材料の位置情報と、前記医療材料の出荷割当の可不可を判別可能とするステータス情報と、病院端末から受信した発注情報と、を管理するデータベースを備え、
前記管理サーバを、
前記病院端末から受信した発注情報に基づき、出荷する医療材料を割り当てる商品割当手段と、
前記検品用端末から受信した突合結果情報および検品作業場所の位置情報に基づき、前記データベースに登録された前記医療材料のステータス情報および前記医療材料の位置情報を更新する流通商品管理手段と、
して機能させること、
前記商品割当手段は、前記ステータス情報および前記医療材料の位置情報に基づき出荷する医療材料を割り当てることを特徴とする。
本発明の第２の観点に係るプログラムは、上記の検品用端末および病院端末と通信可能に構成された管理サーバで実行されるプログラムであって、
前記管理サーバは、前記医療材料の商品情報と、前記医療材料の位置情報と、前記医療材料の出荷割当の可不可を判別可能とするステータス情報と、病院端末から受信した発注情報と、を管理するデータベースを備え、
前記管理サーバを、
前記病院端末から受信した発注情報に基づき、出荷する医療材料を割り当てる商品割当手段と、
前記検品用端末から受信した前記検品種別の情報、突合結果情報および検品作業場所の位置情報に基づき、前記データベースに登録された前記医療材料のステータス情報および前記医療材料の位置情報を更新する流通商品管理手段と、
して機能させること、
前記商品割当手段は、前記ステータス情報および前記医療材料の位置情報に基づき出荷する医療材料を割り当てることを特徴とする。
本発明の第３の観点に係るプログラムは、上記の検品用端末および病院端末と通信可能に構成された管理サーバで実行されるプログラムであって、
前記医療材料の商品情報と、前記医療材料の位置情報と、前記医療材料の単価情報と、医療材料の使用実績情報と、を管理するデータベースを備え、
前記管理サーバを、
前記検品用端末から受信した突合結果情報および検品作業場所の位置情報に基づき、前記データベースに登録された前記医療材料のステータス情報および前記医療材料の位置情報を更新する流通商品管理手段と、
前記使用済み商品および医療材料の単価情報から算出した売上計算用データを出力する手段と、
して機能させることを特徴とする。
【発明の効果】
【００１１】
本発明によれば、医療材料キットの検品作業を効率化し、メーカの在庫を削減することが可能となる。
【図面の簡単な説明】
【００１２】
【図１】実施形態例に係る短貸業務、ディーラ長貸業務および病院長貸業務における医療材料の流れを説明する図である。
【図２】実施形態例に係る短貸業務の流れを説明する図である。
【図３】第１実施形態例に係る医療材料の管理システムの構成図である。
【図４】第１実施形態例に係る医療材料の発注割当のイメージ図である。
【図５】各手技で使用され物品数の例（イメージ）である。
【図６】第１実施形態に係る検品機能の流れを示す図である。
【図７】第１実施形態例に係る管理アプリケーションのメニュー画面を示す図である。
【図８】第１実施形態例に係る出荷検品ヘッダ画面を示す図である。
【図９】第１実施形態例に係る出荷検品明細画面を示す図である。
【図１０】第１実施形態例に係る返却検品ヘッダ画面を示す図である。
【図１１】第１実施形態例に係る返却検品明細画面を示す図である。
【図１２】第２実施形態に係る医療材料の管理システムの構成図である。
【図１３】第２実施形態例に係る短貸業務の流れを説明するための図である。
【図１４】検品用端末のディスプレイに表示される逼迫品情報の一例を示す図である。
【図１５】第２実施形態例に係る貸出処理を示すフローチャートである。
【図１６】第２実施形態例に係る返却処理を示すフローチャートである。
【発明を実施するための形態】
【００１３】
以下では本発明の実施形態例に係る医療材料の管理システムを説明する。
本システムは、主としておけるディーラ（卸業者）の納品および返却時の検品作業を効率化するものである。本システムが管理対象とする業務は主として３つあり、図１に示すとおりである。（１）短貸業務では、メーカから医療材料を病院に短期的に貸し出し、メーカに返却する。（２）ディーラ長貸業務では、メーカから医療材料をディーラに長期的に貸し出し、ディーラで管理する在庫から複数の病院への貸し出しを行う。（３）病院長貸業務では、メーカから医療材料を病院に長期的に貸し出し、病院で管理する在庫から必要な医療材料を取り出して使用する。
【００１４】
次に、実施形態例に係る短貸業務の流れを、図２を参照しながら説明する。
まず、病院から短貸の対象となる医療材料の注文がディーラに入る（ＳＴＥＰ１）。ここでの注文は、手技単位で行われることが多い。
発注指示を受けたディーラは、必要な医療材料をメーカに発注する（ＳＴＥＰ２）。発注を受けたメーカは、出荷する医療材料の名称、数量等の出荷情報を回答するのと共にディストリビューションセンターからの商品出荷を手配する（ＳＴＥＰ３，４）。メーカが出荷した医療材料がディーラに届くと、ディーラは出荷検品１（ＳＴＥＰ５）を行う。具体的には、先に受信した出荷情報と実際に届いた医療材料の突合を行う。ディーラは、メーカが出荷した医療材料を梱包し、或いは、自身が保有する在庫をメーカ出荷と組み合わせて注文に対応する医療材料キット４とする。
【００１５】
続いて、ディーラは、ディストリビューションセンターから医療材料キット４を病院に出荷する（ＳＴＥＰ６）。医療材料キット４が病院に到着すると、病院でディーラの担当者による出荷検品２（ＳＴＥＰ７）が行われる。ここで、医療材料キット４の配送はディーラ担当者が行うのが通常であるが、宅配会社の配送サービスを利用してメーカから病院へ直送し、病院でディーラ担当者が出荷検品（１回目）を行うようにしてもよい。病院では、医療材料キット４の中から、手技に必要な医療材料（例えば、数個）を取り出して使用する。必要な医療材料は、注文時におおよその見当はついているが、実際には当初の予定よりも多くの或いは少ない医療材料が使用される場合がある。
【００１６】
医療材料の使用が終わると、病院から使用済みキット４’がディーラへ返却される（ＳＴＥＰ８，９）。使用済みキット４’がディーラに届くと、１回目の返却検品が行われる（ＳＴＥＰ１０）。返却検品により、実際に消費された医療材料５が明らかになり、売上計算用データが算出可能となる。返却検品後、ディーラから使用済みキット４’がメーカに返却される（ＳＴＥＰ１１）。使用済みキット４’がメーカのディストリビューションセンターに届くと、２回目の返却検品が行われる（ＳＴＥＰ１２）。ここで、宅配会社の配送サービスを利用して病院からメーカへ直送し、メーカのディストリビューションセンターでディーラ担当者が返却検品１（ＳＴＥＰ１０）を行うようにしてもよい。
以上が、実施形態例に係る短貸業務の流れである。本発明では、上述の出荷検品および返却検品を、携帯型の検品用端末２およびＩＣリーダ３により行う。長貸業務においては、ディーラ出荷時に出荷検品１が行われ、病院出荷時に出荷検品２が行われ、使用済キット返却時に返却検品１が行われる。
【００１７】
《第１実施形態》
次に、本発明の第１実施形態について説明する。
＜構成＞
図３は、第１実施形態例に係る医療材料の管理システムの構成図である。このシステムは、管理サーバ１と、検品用端末２と、ＩＣリーダ３と、ＩＣタグ４１付きの医療材料キット４と、ＩＣタグ５１付きの医療材料５と、ディーラ端末６と、病院端末７と、メーカ端末８と、を主要な構成要素とする。従来はメーカ単位でシステムを構築して在庫管理していたが、本システムによれば、複数のメーカを横断的に管理することが可能となる。
【００１８】
管理サーバ１は、ＣＰＵからなる演算部１１と、管理プログラム１２およびデータベース１３を格納する記憶部１４と、ＬＡＮなどのネットワーク網による通信を可能とする通信部１５と、電源部１６とを備えた汎用ＰＣサーバにより構成されている。管理サーバ１は、１台でもよいし複数台でもよく、クラウド上のリソースを借りる形態で構築してもよい。データベース１３には、メーカ、ディーラ、病院および在庫保管場所１０の位置情報（例えば、緯度と経度のＧＰＳ座標）が格納されている。本システムにおける在庫保管場所１０は、メーカやディーラの社屋や倉庫である場合もあれば、宅配会社の営業所のような一時保管所である場合もある。
【００１９】
演算部１１により実行される管理プログラム１２は、主として商品受注機能、在庫管理機能、流通商品管理機能、商品手配機能、結合検品機能、出荷伝票発行機能、売上計算用データ生成機能、配送伝票番号発行機能および当日出荷商品仕分け機能を備えている。
商品受注機能は、インターネットを介して病院端末７から商品の注文を受注する機能であり、例えば、Ｗｅｂサイト経由で注文を受注する。なお、病院端末７は、Ｗｅｂブラウザを搭載する任意の端末を兼用してもよく、例えば、検品用端末２により商品の注文を行ってもよい。
在庫管理機能は、検品用端末２による棚卸をすること、仕入先別、ロット別、有効期限別、在庫場所別の在庫管理を行うこと、および、棚卸レポートを出力することを可能とする機能である。
流通商品管理機能は、検品を行う毎に商品の位置情報、検品出別情報およびステータス情報を更新することを可能とする機能である。検品用端末２により医療材料５の検品が行われると、検品された医療材料５の位置情報および検品出別情報（出荷検品および返却検品の特定情報）が管理サーバ１に送信され、データベース１３で位置情報および検品出別情報が管理される。ステータス情報は、注文情報に対して割り当てが可能であるかを判別するための情報であり、例えば、ＳＴＥＰ１０の返却検品が行われると対象商品のステータス情報を割当不可から割当可に更新することが開示される。
【００２０】
商品手配機能は、ネットワーク経由で病院端末７から受信した注文情報に基づき出荷する商品の割り当てを行うことを可能とする機能である。商品の割り当てが行われると、受注ＩＤとＩＣタグシリアル番号とが紐付けられ、当該ＩＣタグシリアル番号に対応するステータス情報は割当不可に更新され、データベース１３で管理される。商品の受注に際しては、患者属性（性別、年齢等）についても注文情報に含めてもらうことが好ましい。患者属性に基づき使用しないことが明らかな医療材料５を医療材料キット４から除くことが可能となるからである。商品の割り当てに際しては、ステータス情報が割当可となっている在庫のうち、発注元の病院に最も効率よく配送することができる在庫保管場所１０にある在庫が割り当てられる。例えば、図４に示すように、同一の商品が在庫保管場所１０ａ〜１０ｃにある場合、病院Ａには最も近い在庫保管場所１０ａから割り当て、病院Ｂには最も近い在庫保管場所１０ｃから割り当て、病院Ｃには最も近い在庫保管場所１０ｂから割り当てることが開示される。
結合検品機能は、一つの注文に対する商品の出荷や返却が複数口に分けて行われる場合に、まとめて検品することを可能とする機能である。ここで、商品の出荷や返却は、異なる日に行われる場合もあるが、一つの注文に紐付けられた全てのＩＣタグ４１の読み取りが行われるまでは、検品を未完了のステータスとし、全てのＩＣタグ４１の読み取りが行われた際に検品結果を出力する。
【００２１】
出荷伝票発行機能は、実際に病院に出荷する医療材料５の一覧を記した出荷伝票をプリンタ（不図示）から印刷する機能である。ＳＴＥＰ６の病院出荷時に、手技に対応する標準的な医療材料キット４から、明らかに使用しない医療材料５を抜き取ることがディーラ担当者により行われることがあるからである。このような医療材料キット４の精査が行われた場合には、再度出荷検品（ＳＴＥＰ５）を行うことで、データベース１３の出荷情報およびディーラ在庫情報を更新することが可能である。
売上計算用データ生成機能は、出荷検品と返却検品との差分から、売上計算用データを生成する機能である。ＩＣタグ４１および５１には商品の単価情報は入っていないので、データベース１３から使用済み商品の単価情報を入手して、売上計算用データを生成する。生成した売上計算用データは、ＲＰＡ（Robotic Process Automation）によるデータ入力やバッチ処理により基幹サーバ９と連携することも可能である。
配送伝票番号発行機能は、宅配会社から割り当てられた配送伝票番号を、返却検品時に発行する機能である。
当日出荷商品識別機能は、メーカ返却検品が行われるその日に出荷される医療材料４を検品用端末２の画面上で識別可能とする機能である。その日に出荷される医療材料４は、検品用端末２の画面に表示される検品済みの商品の明細フィールドに、当日出荷予定であることを示す文字や記号（例えば、星マーク）が表示される。
【００２２】
検品用端末２は、位置情報取得手段としてのＧＰＳ（Ｇｌｏｂａｌ  Ｐｏｓｉｔｉｏｎｉｎｇ  Ｓｙｓｔｅｍ）受信装置、入力手段および画面を備えた携帯型コンピュータであり、例えば、液晶タッチパネルおよび無線通信モジュールを備えたタブレット端末（例えば、ｉＰａｄ（登録商標））により構成される。検品用端末２は、後述の管理アプリケーション（以下、「管理アプリ」という）がインストールされており、管理サーバ１とインターネットを介して双方向通信が可能である。検品用端末２により検品作業が行われると、検品作業を行った場所のＧＰＳ位置情報が管理サーバ１に送信され、これにより検品対象の医療材料５の位置情報をデータベース１３により管理することが可能となる。医療材料５に紐付けられる位置情報は、ＧＰＳ位置情報としてもよいし、取得したＧＰＳ位置情報の最寄りのメーカ、ディーラ、病院または在庫保管場所１０の緯度経度情報または名称を位置情報として紐付けるようにしてもよい。医療材料５の位置情報を管理することにより、流通状態にある医療材料５（少なくとも１度の返却検品がなされ、メーカに返却される前の医療材料５）も商品手配の対象とすることが可能となる。
【００２３】
また、位置情報取得手段は例示のＧＰＳ受信装置に限定されるものではなく、検品用端末２が、移動体通信の基地局あるいはＲＦ送信機（ＷｉＦｉアクセスポイント）に登録された位置情報による位置測位機能を有する場合は、当該位置測位機能を位置情報取得手段とすることができる。また、管理サーバ１に予め登録された検品の順番と検品作業場所の関係および出荷情報の中に含まれるメーカ、ディーラ、病院等の名称（さらには名称と紐付けられた住所のマスタ情報）に基づき検品作業場所の位置情報を取得するプログラムを検品用端末２に組み込むことにより、位置情報取得手段を実現してもよい。これらの構成を採用した場合、ＧＰＳ位置情報を取得することができない場所で検品作業をした場合であっても、検品作業場所の位置情報を取得することが可能である。なお、検品用端末２は、インターネット通信が不可能な場所で検品作業を行った場合、インターネット通信が可能になった時点で検品作業結果を管理サーバ１に送信する機能を備えている。
【００２４】
ＩＣリーダ３は、非接触でＩＣタグ５１と非接触通信してデータを読み書きするハンディ型ＩＣリーダライタであり、複数のＩＣタグ５１を同時に検出可能とするアンチコリジョン（衝突防止）機能を備えている。ＩＣリーダ３は、出力によっては数メートル以上の通信距離を実現可能な周波数（例えば、９２０ＭＨｚ帯）を採用しており、免許が不要な特定小電力タイプのものでも１ｍ程度の通信距離を実現可能である。高性能円偏波アンテナにより３６０°全方向読み取りが可能であり、段ボール等の箱に収納された多数のＩＣタグ５１を箱を空けることなく外部から読み取ることが可能である。読み取ったＩＣタグ５１の情報は、無線通信（例えば、Ｂｌｕｅｔｏｏｔｈ（登録商標））により検品用端末２に送信される。
【００２５】
医療材料キット４は、診療科目、術式（手技）、症例などの単位でセット化された複数の医療材料のことであり、これら医療材料がＩＣタグ４１が付されたボックスに収納されている。第１実施形態では、手技単位で医療材料キット４を構成しており、一つの医療材料キット４に収納される医療材料５の数は、例えば数十〜数百個である。図５に、各手技で使用される物品数の例（イメージであり数字はダミー）を示す。
ＩＣタグ４１は、電池を内蔵しないＲＦＩＤタグであり、ＩＣリーダ３からの電波により電力供給される非接触型パッシブタグである。ＩＣタグ４１は、数メートル程度の通信距離が実現可能なＵＨＦ帯の周波数（例えば、９２０ＭＨｚ帯）のものを採用している。ＩＣタグ４１には、ＩＣタグシリアル番号、キット番号などが格納されている。
【００２６】
医療材料５は、ＩＣタグ５１が付されたパッケージ（容器を含む）に封入された、カテーテル、超音波プローブ、ステントセット、人工骨、人工関節などの医療材料である。
ＩＣタグ５１は、ＩＣタグ４１と同じＲＦＩＤタグであり、数メートル程度の通信距離が実現可能なＵＨＦ帯の周波数のものを採用している。
【００２７】
ＩＣタグ５１には、ＩＣタグシリアル番号、ＪＡＮコード、ＵＢＤ（使用期限）、製造ロット、製造シリアル番号、製造メーカ商品番号、ＧＳ１識別コードなどが格納されている。
【００２８】
ディーラ端末６、病院端末７およびメーカ端末８は、１台または複数台のパーソナルコンピュータであり、インターネットを介して管理サーバ１にアクセスし、各種データを権限の範囲内で参照し、編集し、出力することができる。
【００２９】
［管理アプリ］
管理アプリは、管理サーバ１から取得したキット用ＩＣタグ４１に紐付けられた出荷情報とＩＣリーダ３から送信された材料用ＩＣタグ５１の格納情報を突合した結果を画面上に表示する検品機能を備えている。図６は、第１実施形態に係る検品機能の流れを示す図である。
ＳＴＥＰ１０１：検品作業者は、管理アプリで検品機能を実行し、続いてＩＣリーダ３を用いて、キット用ＩＣタグ４１および材料用ＩＣタグ５１の格納情報を読み取る。
ＳＴＥＰ１０２：管理アプリは、読み取ったキット用ＩＣタグ４１および材料用ＩＣタグ５１に対応する出荷情報をネットワークを介して管理サーバ１から取得する。この際、検品情報（ＧＰＳ位置情報、出荷検品または返却検品のいずれであるかなど）を管理サーバ１に送信する（なお、ＳＴＥＰ１０４の通信時に検品情報を送信するのでもよい。）。
ＳＴＥＰ１０３：管理アプリは、管理サーバ１から取得した出荷情報と読み取ったＩＣタグ５１の格納情報との突合を行い、突合結果を検品用端末２の画面に表示する。
ＳＴＥＰ１０４：管理アプリは、出荷情報と読み取ったＩＣタグ５１の格納情報との突合結果を管理サーバ１に送信する。
ＳＴＥＰ１０５：管理サーバ１は、受信した突合結果および検品情報に基づき必要な情報処理を実行する。検品情報には、ＧＰＳ位置情報が含まれるため、未使用の医療材料５は位置情報と紐付けられてデータベースで管理される。これに加え、例えば、下記の情報処理を行うことが開示される。
【００３０】
（１）検品が行われたのが出荷検品であり、不足する医療材料５がある場合には、当該医療材料５を自動で出荷手配する。
（２）検品が行われたのが返却検品であり、不足する医療材料５がある場合には、当該医療材料５が使用されたと判定し、当該医療材料５のシリアル番号と数量を売上計算用データとして出力する。
（３）検品が行われたのが返却検品であり、同日に出荷される医療材料５がある場合には、当該医療材料５の明細フィールドに当日出荷されることを識別可能とする文字や記号（例えば、星マーク）を表示する。
（４）上記（２）の処理後、外部の医事会計システムと連携して病院における保険請求を行うようにしもよい。また、外部の購買システムと連携してディーラに対する仕入処理を行うようにしてもよい。また、ディーラの基幹システムと連携してディーラにおける病院への売上とメーカへの仕入れを行うようにしてもよい。また、メーカへの基幹と連携してメーカにおけるディーラへの売上を計上するようにしてもよい。
【００３１】
図７は、第１実施形態に係る管理アプリのメニュー画面２０を示す図である。
貸出管理欄の出荷検品ボタン２１を押下すると、図８に示す出荷検品ヘッダ画面３０が表示される。
出荷検品ヘッダ画面３０は、上段の検索条件欄と、下段の検索結果欄とを備えている。検索条件欄に入力した検索条件による検索結果が、検索結果欄に表示される。検索結果欄には、１件の発注が１行の発注フィールド３１により表示される。各発注フィールド３１には、各発注に付された一意の貸出ＩＤがそれぞれ表示される。発注は、手技単位で行われるため、１つの貸出先から同日に複数の発注が行われることも当然ある。
【００３２】
図９は、出荷検品ヘッダ画面３０の検索結果欄に表示された貸出ＩＤ「A12345688」の発注フィールドを押下した際に表示される出荷検品明細画面４０を示す図である。
出荷検品明細画面４０では、１行の明細フィールド４１に１つの商品に関する情報が表示される。図９では未実施であるが、出荷検品がなされると検品済みの商品の明細フィールド４１は着色表示され、検品済みであることを示す文字や記号（例えば、丸マーク）が表示される。
【００３３】
メニュー画面２０において、貸出管理欄の返却検品ボタン２２を押下すると、図１０に示す返却検品ヘッダ画面５０が表示される。
返却検品ヘッダ画面５０では、１件の貸出ＩＤに対応する返却が１行の返却フィールド５１により表示される。返却検品済みの貸出ＩＤに対応する返却フィールド５１は着色表示され、検品済みであることを示す丸マーク５２が表示される。
【００３４】
図１１は、返却検品ヘッダ画面５０に表示された貸出ＩＤ「A17245677」の返却フィールド５１を押下した際に表示される返却検品明細画面６０を示す図である。１行の明細フィールド６１に１つの商品に関する情報が表示される。図１１中、明細フィールド６１ａは現品がないため着色されておらず、明細フィールド６１ｂは現品があることから着色表示され、現品があることを示す丸マーク６２が表示される。このように、返却検品明細画面６０を確認することで、使用された商品が何であるかを容易に判別することが可能となる。
【００３５】
以上に説明した本発明の第１実施形態例に係る医療材料の管理システムによれば、携帯型の検品用端末２およびＩＣリーダ３により検品作業を行うことで、医療材料５の現在位置を正確に把握することが可能となる。このため、従来であれば、メーカの倉庫などの所定の在庫管理場所に医療材料が戻ってこないと商品割り当てをすることができなかったが、本システムによれば宅配会社の営業所などにある返却中の医療材料５も商品割り当ての対象とすることができるので、商品在庫を大幅に削減することが可能となる。また、検品作業は、携帯型の検品用端末２およびＩＣリーダ３により行うことができるので、検品場所毎に特別なシステムを導入することが不要であり、導入コストを抑えることができる。さらには、検品が行われ場所のＧＰＳ位置情報も記録することができるので、検品が正しい場所で行われたかのチェックを行うことも可能である。
【００３６】
《第２実施形態》
次に、図１２および図１３に基づいて、本発明の第２実施形態について説明する。図１２は、第２実施形態に係る医療材料の管理システムの構成図である。また、図１３は、第２実施形態に係る短貸業務の流れを説明するための図である。図１２に示すように、第２実施形態では、第１実施形態に係る医療材料の管理システムの構成に加えて、配送者（宅配業者等）が使用する配送者端末１７をさらに有する。配送者端末１７は、図１２に示すように、管理サーバ１と電気通信回線を介して通信可能となっている。配送者端末１７は、例えば、パーソナルコンピュータやタブレット等の携帯型コンピュータである。なお、配送者端末１７は、ヤマト運輸や佐川急便等の配送事業者のみならず、ディーラの営業員やディーラから委託を受けた者等が使用する場合もある。
【００３７】
また、第２実施形態に係るデータベース１３では、症例ごとに、実際に出荷された医療材料５の出荷実績データと、出荷された医療材料５のうち病院で実際に使用された医療材料５の使用実績データが記憶される。第２実施形態では、例えば、図１３に示すように、ディーラ担当者が検品用端末２を用いて病院Ａで出荷検品を行うと、検品用端末２により医療材料５の出荷実績データが取得され、管理サーバ１に送信されることで、データベース１３に出荷実績データが記憶される。なお、第２実施形態では、後述するように、症例ごとに医療材料が出荷されるため、症例ごとの出荷実績データが取得され記憶されることとなる。また、図１３に示すように、ディーラ担当者が検品用端末２を用いてディーラ営業所で返却検品を行うことで、検品用端末２により医療材料５の使用実績データが取得され、管理サーバ１に送信されることで、データベース１３に使用実績データが記憶される。なお、使用実績データも症例ごとに取得されデータベース１３に記憶される。
【００３８】
第２実施形態において、管理サーバ１の演算部１１は、第１実施形態に係る管理プログラム１２に加えて、症例ごとに推奨される医療材料５の好適な組み合わせを作成する医療材料推奨機能と、医療材料推奨機能により作成された医療材料５の好適な組み合わせを病院担当者に提示する推奨提示機能と、配送者に配送指示を行う配送指示機能と、医療材料５を配送する配送経路を決定する配送経路決定機能と、を有する。
【００３９】
医療材料推奨機能は、データベース１３に記憶された、症例ごとの医療材料５の出荷実績データと医療材料５の使用実績データとに基づいて、症例ごとに推奨される医療材料５の好適な組み合わせを作成する。例えば、類似する複数の症例について、医療材料ａが１つと、医療材料ｂが２つ使用された使用実績が最も多い場合には、この症例について推奨される医療材料の好適な組み合わせとして、医療材料ａが１つと、医療材料ｂが２つの組み合わせを作成する。また、類似する複数の症例において、出荷実績データとして、医療材料ａが２つと、医療材料ｂが４つとした組み合わせが多く、使用実績においても医療材料ａが２つと医療材料ｂが４つ使用されているケースが多い場合には、この症例についての医療材料の好適な組み合わせとして、医療材料ａが２つと、医療材料ｂが４つの組み合わせを、医療材料５の好適な組み合わせとして作成することができる。そして、医療材料推奨機能は、症例ごとに作成した医療材料５の好適な組み合わせを、データベース１３に記憶しておく。なお、本実施形態では、症例情報に、病名の他に、術式や患者属性（性別、年齢など）も含まれており、これら全部または一部が一致する症例を、類似する症例として、推奨される医療材料５の好適な組み合わせを作成することができる。
【００４０】
推奨提示機能は、病院の病院端末７において医療材料５の注文に際して症例の入力が行われた場合に、入力された症例に応じた医療材料５の好適な組み合わせを、データベース１３から抽出し、病院端末７に送信することで、病院担当者に提示する。ここで、第２実施形態では、病院端末７を介して医療材料５の注文を行う場合、病院担当者が、当該医療材料５が使用される症例の情報も入力するように設計されている。そして、病院端末７において症例情報が入力されると、症例情報が病院端末７から管理サーバ１へと送信され、管理サーバ１により受信される。推奨提示機能は、受信した症例情報に基づいて、データベース１３を参照することで、医療材料推奨機能により当該症例と類似の症例として作成された、推奨される医療材料５の好適な組み合わせを取得する。そして、推奨提示機能は、この症例における医療材料５の好適な組み合わせの情報を、病院端末７に送信することで、病院端末７のディスプレイに当該症例についての医療材料５の好適な組み合わせを表示させ、病院担当者に把握させることができる。
【００４１】
配送指示機能は、各症例について注文された医療材料５の組み合わせを、症例ごとに配送するように、配送指示を行う。具体的には、配送指示機能は、病院端末７による注文が受注され、ディストリビューションセンターや在庫保管場所１０など、メーカ、配送事業者、またはディーラの施設にある商品割り当てられると、配送者端末１７に、割り当てられた医療材料５の配送情報を送信し、配送者に割り当てられた医療材料５の配送を行わせる。また、配送指示機能は、症例ごとの医療材料５が医療材料キット４として一括して配送されるように、配送者端末１７に配送情報を送信する。例えば、図１３に示す例において、症例１について病院Ａから医療材料５ａ〜５ｃが注文され、医療材料５ａ〜５ｃが倉庫Ａ、倉庫Ｂおよび倉庫Ｃでそれぞれ割り当てられた場合には、配送指示機能は、病院Ａに最も近い倉庫Ｃに、倉庫Ａおよび倉庫Ｂから症例１についての医療材料５ａ，５ｂを出荷するように、配送者端末１７に配送指示を行う。また、配送指示機能は、倉庫Ｃにおいて、倉庫Ｃで割り当てられた医療材料５ｃと、倉庫Ａおよび倉庫Ｂから出荷された医療材料５ａ，５ｂとを荷合わせして医療材料キット４を構成するように配送者端末１７に指示を行う。さらに、配送指示機能は、構成した医療材料キット４を倉庫Ｃから病院Ａに出荷するように、配送者端末１７に配送指示を行う。
【００４２】
なお、第２実施形態では、ディーラ端末６や病院端末７において、配送者が配送する医療材料５の配送状態を確認することが可能となっている。具体的には、第２実施形態では、各倉庫における検品作業や出荷作業により、配送者が配送する医療材料５の配送状態（例えば、倉庫Ｃで荷合わせ中、倉庫Ｃから出荷など）が配送者端末１７により入力され、配送者端末１７から管理サーバ１へと送信される。管理サーバ１は、配送者端末１７から送信された医療材料５の配送状態を、医療材料５の位置情報または配送状態としてデータベース１３に記憶することができる。また、管理サーバ１３は、現在の配送状態（位置情報）だけではなく、過去の配送状態（位置情報）も記憶しておくことができる。これにより、ディーラ端末６や病院端末７において、ディーラ担当者や病院担当者がこれまでの配送経緯を把握することが可能となる。
【００４３】
さらに、配送指示機能は、医療材料５の返却情報と、医療材料５の逼迫品情報とに基づいて、医療材料５の配送指示を行う構成とすることができる。返却情報には、返却される医療材料５の情報、返却個口数、返却時の利用ユーザー（病院）の情報、返却時の病院の位置情報、返却先の情報などを含めることができる。ここで、返却情報としては、デフォルトの返却先（例えば、メーカの発送元倉庫）が設定されているが、返却先に返却される前に次に使う病院等が決まった場合には、その病院等を返却先（配送先）に変更することができる。これにより、デフォルトの返却先に返却してから出荷する場合と比べ、出荷のリードタイムを短縮し、また配送作業を削減することができる。なお、返却情報の指定は、例えば病院端末７において医療材料５の注文を行う場合に入力する構成としてもよいし、また、ディーラ担当者が返却検品において検品用端末２を用いて入力する構成としてもよい。
また、医療材料５の逼迫品情報とは、どの配送拠点におけるどの医療材料５が、返却後すぐに別の症例のために出荷される可能性が高いかを示す情報であり、メーカ端末６から随時入力される。返却情報および逼迫品情報はデータベース１３に記憶される。配送指示機能は、データベース１３に記憶された医療材料５の返却情報および逼迫品情報に基づいて、返却予定の医療材料５の配送指示を行う。例えば、配送指示機能は、医療材料５が貸出時に保管されていた倉庫に医療材料５を配送するように、配送者端末１７に配送指示を出力する構成とすることができるが、逼迫品情報を参照し、逼迫している医療材料５（逼迫品）については優先的に配送するように、配送指示を行うこともできる。この配送指示により、配送者は、逼迫品と逼迫していない医療材料５とを仕分けて、別の症例に用いられる逼迫品を早期に配送することができる。
【００４４】
また、配送指示機能は、逼迫品については、メーカやディーラの倉庫までは戻さずに、次に使用される病院まで直接配送するように、配送指示を行う構成とすることができる。例えば、図１３に示す例において、病院Ａで使用され返却された医療材料５ａ〜５ｃは、ディーラの営業所で返却検品が行われた後に、各倉庫Ａ〜Ｃに戻されるのではなく、そのまま病院Ｂへと配送する構成とすることができる。これにより、資産回転率の向上や配送リードタイムの向上を図ることができる。
【００４５】
また、第２実施形態では、どの医療材料５が逼迫品であるかをディーラ担当者が把握できるように、検品用端末２のディスプレイに逼迫品であることを示す表示が行われる。図１４は、検品用端末２のディスプレイに表示される逼迫品情報の一例である。図１４に示す例では、症例ごとに逼迫品である医療材料５の表示が行われる。例えば図１４に示す例では、逼迫品である医療材料５（症例１〜症例３の医療材料５）がグレーで表示されるとともに「逼迫品」である旨の表示がされ、逼迫品ではない医療材料５（症例４，５の医療材料５）が白抜きで表示される。また、ディーラ担当者は、ディーラ端末６を用いて、逼迫品情報を参照することで、使用頻度が高い医療材料５を特定することができる。そのため、ディーラ担当者は、使用頻度の高い医療材料５については、メーカから貸し出してもらうのではなく、購入しておき、ディーラにおいて管理するような運用を行うことができる。
【００４６】
配送経路決定機能は、医療材料５の配送元から配送先までの配送経路を決定する。特に、配送経路決定機能は、医療材料５の配送元から配送先までに複数の経路が存在する場合に、いずれの経路を経由して医療材料５を配送するかを決定する。例えば、図１３に示す例において、ディーラ営業所から倉庫Ｂまで配送する経路として、経路ｄ１およびｄ２を経由する経路Ｄ１と、経路ｄ３を経由する経路Ｄ２と、経路ｄ４およびｄ５を経由する経路Ｄ３とが存在している。このような場合に、配送経路決定機能は、経路Ｄ１〜Ｄ３のうちいずれの配送経路で配送を行うかを決定する。
【００４７】
例えば、図１３に示す例では、データベース１３に、各経路ｄ１〜ｄ５の単位時間当たりの輸送コスト、中継倉庫Ｂ，Ｄの単位時間当たりの保管コスト、中継倉庫Ｂ，Ｄでの荷分けによる業務コストなどのコスト情報を記憶している。配送経路決定機能は、データベース１３に記憶されているこれらコスト情報を参照することで、各経路ｄ１〜ｄ５を経由した場合の配送コスト（合計コスト）を算出し、配送コストが最も低い経路を、医療材料５を配送する配送経路として決定する。
【００４８】
例えば、図１３に示す例において、経路ｄ１〜ｄ５における１時間当たりの単位容量当たりの輸送コストがそれぞれ２０円、２５円、９０円、３５円、３０円であり、また、中継倉庫Ｂ，Ｄでは医療材料５を保管しないが荷分けを行うものとして、その業務コストが４０円、４７円であるとする。この場合、経路ｄ１およびｄ２を経由する経路Ｄ１の配送コストは２０＋２５＋４０＝８５円となり、経路ｄ３を経由する経路Ｄ２の配送コストは９０円となり、経路ｄ４およびｄ５を経由する経路Ｄ３の配送コストは３５＋３０＋４７＝１１２円となる。よって、配送経路決定機能は、経路Ｄ１〜Ｄ３のうち、配送コストが最も低い経路Ｄ１を、病院Ａで使用された医療材料５をディーラ営業所から倉庫Ｂへと配送するための配送経路として決定する。
【００４９】
配送経路決定機能により配送経路が決定されると、配送指示機能により、配送経路Ｄ１を経由して配送するように、配送者端末１７に配送指示が行われる。これにより、配送者により、配送経路決定機能により決定された配送経路Ｄ１により、医療材料５が配送されることとなる。なお、上述した例では、病院で使用された医療材料５を返却する静脈物流において、配送コストが最も低くなる経路を配送経路として決定する構成を例示したが、この構成に限定されず、病院で使用する医療材料５を病院まで配送する動脈物流においても、配送コストが最も低くなる経路を配送経路として決定する構成とすることができる。
【００５０】
次いで、図１５に基づいて、第２実施形態に係る医療材料５の貸出処理について説明する。図１５は、第２実施形態に係る医療材料５の貸出処理を示すフローチャートである。なお、ここで説明する医療材料５の貸出処理とは、例えば図１３に示すように、病院Ａで使用される医療材料５の注文が行われてから、医療材料５が病院Ａに配送されるまでの処理を説明するものである。
【００５１】
ステップＳ２０１〜Ｓ２０３では、医療材料５が注文された場合に、症例ごとの推奨される医療材料５の好適な組み合わせを病院担当者に提示するために、症例ごとの医療材料５の好適な組み合わせを作成し、データベース１３に記憶する処理である。すなわち、ステップＳ２０１では、管理サーバ１の医療材料推奨機能により、データベース１３が参照され、症例ごとの医療材料５の出荷実績データが取得される。また、ステップＳ２０２では、医療材料推奨機能により、データベース１３が参照され、症例ごとの医療材料５の使用実績データが取得される。そして、ステップＳ２０３では、医療材料推奨機能により、ステップＳ２０１で取得された症例ごとの医療材料５の出荷実績データと、ステップＳ２０２で取得された症例ごとの医療材料５の使用実績データとに基づいて、症例ごとに推奨される医療材料５の好適な組み合わせが作成される。例えば、類似する複数の症例における出荷実績データと使用実績データとに基づいて、当該症例において最も出荷された医療材料５の組み合わせや使用された医療材料５の組み合わせを、当該症例における医療材料５の好適な組み合わせとして作成することができる。なお、本実施形態では、病院端末７から注文が行われるまで、管理サーバ１は、ステップＳ２０１〜Ｓ２０３の処理を所定の間隔で繰り返し（ステップＳ２０４＝Ｎｏ）、症例ごとの医療材料５の好適な組み合わせを更新する。そして、病院担当者が病院端末７により注文を開始し、注文画面において症例情報を入力すると、ステップＳ２０５に進む（ステップＳ２０４＝Ｙｅｓ）。
【００５２】
ステップＳ２０５では、管理サーバ１の推奨提示機能により、病院端末７により入力された症例情報が取得され、ステップＳ２０３で作成された症例ごとの医療材料５の好適な組み合わせのうち、入力された症例における医療材料５の好適な組み合わせの情報が、データベース１３から取得される。そして、推奨提示機能は、この症例に応じた医療材料５の好適な組み合わせの情報を病院端末７に送信し、病院端末７のディスプレイに表示させる。これにより、病院担当者は、今回の症例に応じた医療材料５の好適な組み合わせの情報に基づいて、医療材料５の注文を行うことができる。
【００５３】
注文が確定されると（ステップＳ２０６＝Ｙｅｓ）、ステップＳ２０７に進み、商品手配機能により、注文された医療材料５について割り当てが行われる。また、図１３に示すように、複数の倉庫に医療材料５がある場合は、各倉庫において医療材料５の割り当てが行われる。そして、ステップＳ２０８では、管理サーバ１の配送指示機能により、症例ごとに医療材料５が医療材料キット４として構成され、症例ごとに医療材料５が配送されるように、配送者端末１７に配送指示が行われる。例えば、図１３に示す例では、症例１に用いられる医療材料５が５ａ〜５ｃであるとする。この場合、倉庫Ａから医療材料５ａが、倉庫Ｂから医療材料５ｂがそれぞれ倉庫Ｃへと配送され、倉庫Ｃにおいて、倉庫Ｃで保管されていた医療材料５ｃと荷合わせされて、医療材料５ａ〜５ｃで医療材料キット４を構成し、病院Ａへと配送されることとなる。
【００５４】
そして、ステップＳ２０９では、ディーラ担当者により、病院に配送された医療材料５の検品処理が行われる。第２実施形態では、配送者により医療材料５が病院まで配送されると、ディーラ担当者は病院において、検品用端末２を用いて、配送された医療材料５の出荷検品を行う。なお、検品処理は、図６に示す方法にて行うことができる。
【００５５】
次に、図１６に基づいて、第２実施形態に係る医療材料５の返却処理について説明する。図１６は、第２実施形態に係る医療材料５の返却処理を示すフローチャートである。なお、ここで説明する医療材料５の返却処理とは、例えば図１３に示すように、病院Ａで使用される医療材料５が返却されてから、医療材料５が倉庫や別の病院などの返却先に配送されるまでの処理を説明するものである。
【００５６】
ステップＳ３０１では、管理サーバ１の配送指示機能により、データベース１３が参照され、メーカ端末８から随時更新される逼迫品情報の取得が行われる。また、ステップＳ３０２では、配送指示機能により、データベース１３が参照され、返却情報の取得が行われる。
【００５７】
そして、ステップＳ３０３では、配送指示機能により、ステップＳ３０１で取得された逼迫品情報と、ステップＳ３０２で取得された返却情報とに基づいて、どの医療材料５をどの返却先に配送するかを決定する処理が行われる。例えば、図１３に示す例において、配送指示機能は、返却情報に含まれる返却先情報に基づいて、病院Ａで使用された医療材料５ａ〜５ｃを、医療材料５ａ〜５ｃがそれぞれ保管されていた倉庫Ａ〜Ｃに返却するように、配送指示を行うことができる。また、配送指示機能は、医療材料５ａ〜５ｃが逼迫品であり、医療材料５ａ〜５ｃを病院Ａに貸し出している間に、別の病院Ｂでの同様の症例のために医療材料５ａ〜５ｃの貸出が注文された場合には、医療材料５ａ〜５ｃを元の倉庫まで戻すことはせずに、病院Ａまたはディーラ営業所から病院Ｂへと配送するように、配送指示が行われる。さらに、配送指示機能は、逼迫品情報に基づいて、営業所やディーラや配送事業者の倉庫に保管されている医療材料５のうち、一部の医療材料５について逼迫していると判断できる場合には、逼迫している医療材料５を早期に次の配送先に配送するように、配送指示を行うこともできる。
【００５８】
ステップＳ３０４では、配送経路決定機能により、医療材料５を配送する際の配送経路が決定される。配送経路決定機能は、データベース１３に記憶されている輸送コスト情報、各配送拠点における保管コスト情報や業務コスト情報を参照し、各経路における各コストの合計を配送コストとして算出する。そして、配送経路決定機能は、配送コストが最も安い経路を医療材料５の配送経路として決定する。そして、ステップＳ３０６では、配送指示機能により、ステップＳ３０５で決定された配送経路を経由して配送を行うように、配送指示が行われる。
【００５９】
以上のように、第２実施形態に係る医療材料５の管理システムでは、医療材料５の出荷実績データと医療材料５の使用実績データとに基づいて、症例ごとに推奨される医療材料５の好適な組み合わせを作成し、推奨された医療材料５の好適な組み合わせを病院担当者に提示することで、実際に使用される医療材料５の過不足を低減させることができる。特に、病院担当者は医療材料５が不足しないように、医療材料５を多めに注文する傾向があり、それが、在庫数の増大や、調達コストおよび廃棄コストの増大の原因となってしまう場合があった。これに対して、第２実施形態に係る医療材料５の管理システムでは、症例ごとの医療材料の出荷実績データと医療材料の使用実績データとに基づいて、症例ごとの医療材料の好適な組み合わせを作成し、病院担当者に提示することで、病院担当者が当該組み合わせに基づいて注文を行うことで、症例に適した数の医療材料５が出荷されることとなるため、在庫数の低減や、調達コストおよび廃棄コストの低減を図ることができる。
【００６０】
また、第２実施形態では、配送者端末１７に配送指示を行い、メーカ倉庫、配送事業者倉庫、ディーラ倉庫、ディーラ営業所、および病院間における医療材料５の配送を、症例単位で、配送者に行わせることで、資産回転率の向上、配送リードタイムの短縮、メーカやディーラの納品業務コストの削減を図ることができる。
【００６１】
さらに、第２実施形態では、管理サーバ１は、医療材料５の返却情報と、医療材料５の逼迫品情報とに基づいて、医療材料５の配送指示を行う構成とすることができる。特に、管理サーバ１は、逼迫品情報を参照し、逼迫している医療材料５（逼迫品）については優先的に倉庫に配送するように、配送指示を行うことで、別の症例に用いるために逼迫品を早期に配送することができる。また、管理サーバ１は、逼迫品については、メーカやディーラの倉庫までは戻さずに、次に使用される病院まで直接配送するように、配送指示を行う構成とすることができる。これにより、資産回転率の向上や配送リードタイムの向上を実現することができる。
【００６２】
加えて、第２実施形態に係る管理システムでは、医療材料５の配送元から配送先まで配送する場合に、配送コストが最も低い経路を配送経路として決定し、決定した配送経路において医療材料５を配送する。これにより、配送コストを削減することも可能となる。
【００６３】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【００６４】
例えば、上述した第２実施形態では、管理サーバ１の演算部１１の医療材料推奨機能は、データベース１３に記憶されている症例ごとの医療材料５の出荷実績データと医療材料５の使用実績データとに基づいて、症例ごとの医療材料５の好適な組み合わせを予め作成し、データベース１３に記憶しておくことで、病院端末７から医療材料５の注文があった場合に、当該注文情報に含まれる症例に適した医療材料５の組み合わせを提示する構成を例示したが、この構成に限定されず、病院端末７から医療材料５の注文があった場合に、データベース１３を参照し、データベース１３に記憶されている症例ごとの医療材料５の出荷実績データと医療材料５の使用実績データとに基づいて、病院端末７により入力された症例に適した医療材料５の好適な組み合わせを提示する構成とすることもできる。
【符号の説明】
【００６５】
１  管理サーバ
２  検品用端末
３  ＩＣリーダ
４  医療材料キット
４１  （キット用）ＩＣタグ
５  医療材料
５１  （材料用）ＩＣタグ
６  ディーラ端末
７  病院端末
８  メーカ端末
９  メーカ管理サーバ
１０  在庫保管場所
１７  配送者端末
２０  メニュー画面
【図１】
2020155122.tif 000003
【図２】
2020155122.tif 000004
【図３】
2020155122.tif 000005
【図４】
2020155122.tif 000006
【図５】
2020155122.tif 000007
【図６】
2020155122.tif 000008
【図７】
2020155122.tif 000009
【図８】
2020155122.tif 000010
【図９】
2020155122.tif 000011
【図１０】
2020155122.tif 000012
【図１１】
2020155122.tif 000013
【図１２】
2020155122.tif 000014
【図１３】
2020155122.tif 000015
【図１４】
2020155122.tif 000016
【図１５】
2020155122.tif 000017
【図１６】
2020155122.tif 000018